(57)【要約】【課題】１つのシールであっても複数の種別に対応して使用することができる配送用シール、配送用シールの使用方法、識別シール、識別シールの使用方法を提供する。【解決手段】配送用シールは、剥離基材と剥離基材の剥離処理面に粘着剤層を介して貼り合わされた紙基材とからなり、取扱店控には、紙基材切込みによって長方形状の配送物貼付シール部が、配送物貼付シール部の裏側の剥離基材には剥離基材切込みによって取扱種別表示部が形成され、紙基材の表出面には紙基材切込みを跨ぐように配送情報が印刷され、取扱種別表示部には、取扱種別表示部の短辺に平行な折り畳み部が形成され、取扱種別表示部は、取扱種別表示部を剥離処理面から一部引き剥がして剥離処理面が外側になるように折り畳み部で折り畳んだときに、配送物貼付シール部の外側に取扱種別表示部がはみ出して、紙基材の表出面側から取扱種別表示が識別可能である。【選択図】図１
2013224013.tif 000002
【特許請求の範囲】
【請求項１】
取扱店控とお客様控がお客様控切り離し予定部で連接され、速達、通常何れかの取扱種別を選択して使用することが可能な配送用シールであって、
前記配送用シールは、剥離基材と剥離基材の剥離処理面に粘着剤層を介して貼り合わされた紙基材とからなり、
前記取扱店控には、長方形状の配送物貼付シール部が紙基材と粘着剤層を貫通する紙基材切込みによって形成され、
前記紙基材の表出面には前記紙基材切込みを跨ぐように配送情報が印刷され、
前記配送物貼付シール部の裏側の剥離基材には剥離基材を貫通する剥離基材切込みによって取扱種別を表示する取扱種別表示部が形成され、
前記取扱種別表示部には、取扱種別表示部の短辺に平行な折り畳み部が形成され、
前記取扱種別表示部は、取扱種別表示部を前記剥離処理面から一部引き剥がし、剥離処理面が外側になるように前記折り畳み部で折り畳んだときに、前記配送物貼付シール部の外側に前記取扱種別表示部がはみ出して、前記紙基材の表出面側から取扱種別表示が識別可能に形成されていること
を特徴とする配送用シール。
【請求項２】
請求項１に記載の配送用シールにおいて、
剥離基材切込みによって形成される取扱種別表示部の形状は、長方形、台形、半円形、楕円形、又はこれらの組合せであること
を特徴とする配送用シール。
【請求項３】
請求項１または２に記載の配送用シールにおいて、
配送情報表示文字を囲むマークガイドが紙基材切込みを跨ぐように印刷されていること
を特徴とする配送用シール。
【請求項４】
請求項１〜３何れかに記載の配送用シールの使用方法であって、
速達、通常何れかの取扱種別を選択し、選択した取扱種別に該当する配送情報を囲むように、または、マークガイドに沿ってマークを記載し、
配送物貼付シール部を紙基材切込みに沿って剥離処理面から剥ぎ取り、選択した取扱種別が紙基材表出面に表示されていない場合は、取扱種別表示部の折り畳み部で取扱種別表示部を折り畳んで取扱種別表示を配送物貼付シール部の外側に表出させ、配送物貼付シール部を粘着剤面で配送物に貼付し、
取扱店控とお客様控をお客様控切り離し予定部で切り離し、お客様控を客に渡し、取扱店控を店に残すこと
を特徴とする配送用シールの使用方法。
【請求項５】
剥離基材の剥離処理層上に粘着剤層を介して紙基材が貼り合わされた粘着紙の、紙基材の表出面に表示された取扱種別表示及び配送情報を選択することによって通常、速達何れにも使用することが可能な配送用シールであって、
前記紙基材には配送物に貼付される矩形状の貼付シールが紙基材を貫通する貼付シール周縁切込みによって形成され、
紙基材の表出面には貼付シール周縁切込みを跨ぐように配送情報が印刷され、
貼付シールの裏側の剥離基材には取扱種別表示片が剥離基材と剥離処理層を貫通する取扱種別表示片切込みによって形成され、取扱種別表示片には貼付シールの上辺に平行で取扱種別表示片を横断する折り畳み予定部が形成され、
取扱種別表示片の剥離基材表出面には通常、速達何れかの取扱種別が表示され、
紙基材による貼付シールを貼付シール周縁切込みに沿って前記剥離処理層から引き剥がし、前記取扱種別表示片を剥離処理層が外側になるように前記折り畳み予定部で折り畳んだときに前記取扱種別表示片の一部が貼付シールの外側にはみ出し、前記取扱種別表示が紙基材表出面側から識別可能に表示される
ことを特徴とする配送用シール。
【請求項６】
請求項５に記載の配送用シールにおいて、
貼付シールの紙基材表出面には機械読み取り可能な管理コードが印刷され、貼付シールの外側の所定部表出面には前記管理コードに紐付けされ識別可能に表示された問い合わせ情報が印刷されていること
を特徴とする配送用シール。
【請求項７】
請求項５または６に記載の配送用シールにおいて、
配送情報を囲むマークガイドが貼付シール周縁切込みを跨ぐように印刷されていること
を特徴とする配送用シール。
【請求項８】
請求項５〜７何れかに記載の配送用シールの使用方法であって、
通常、速達何れかの取扱種別を選択し、選択した取扱種別に該当する配送情報を囲むように、または、マークガイドに沿ってマークを付し、
貼付シールを貼付シール周縁切込みに沿って剥離処理層から引き剥がし、選択した取扱種別が貼付シールの紙基材表出面に表示されていない場合は、取扱種別表示片を取扱種別表示片切込みに沿って引き剥がし、剥離処理層が外側になるように折り畳み予定部で折り畳んで取扱種別表示を貼付シールの外側に表出させ、貼付シールを粘着剤面で配送物に貼付し、
貼付シールが剥がされた配送用シールを客控として客に渡すこと
を特徴とする配送用シールの使用方法。
【請求項９】
請求項８に記載の配送用シールの使用方法において、
さらに、客から配送物の配送状況を問われたときに、客が提示した問い合わせ情報によって管理コードを検索し、配送担当が配送物を投函する直前に貼付シールの管理コードを携帯端末によって読み取り、登録した管理コードが存在すれば問い合わせがあった配送物は配送済みとすること
を特徴とする配送用シールの使用方法。
【請求項１０】
剥離基材と、前記剥離基材上に再貼付可能な粘着剤により積層されたシール層とを備える識別シールであって、
周辺シール部と、
前記シール層を貫通する貼付シール周縁切込みによって前記周辺シール部から分断された貼付シール部とを備え、
前記貼付シール部は、
前記剥離基材により形成された部材であり、前記剥離基材を貫通する識別表示片切込みによってその周囲の前記剥離基材から分断され、折り予定部が形成され、下面側に識別情報を有する識別表示片を備え、
前記貼付シール部を前記識別表示片が積層された状態で前記周辺シール部から分離して剥離し、前記識別情報が上面側になるように前記識別表示片を前記折り予定部で折ることにより、前記識別表示片の一部が前記貼付シール部の外形からはみ出し、前記識別情報が上面側から視認可能であること、
を特徴とする識別シール。
【請求項１１】
請求項１０に記載の識別シールにおいて、
前記貼付シール部を、前記折り予定部で折って前記識別情報が上面側から視認できるように使用する状態と、前記折り予定部で折らずに前記識別情報が上面側から視認できないように使用する状態とのうち、実使用時の利用頻度の多い方を前記識別情報が視認できないように使用する状態に設定されていること、
を特徴とする識別シール。
【請求項１２】
請求項１０又は請求項１１に記載の識別シールにおいて、
前記周辺シール部及び前記貼付シール部に設けられ、前記貼付シール周縁切込みを跨ぐように配置された細識別情報を備えること、
を特徴とする識別シール。
【請求項１３】
請求項１２に記載の識別シールにおいて、
前記細識別情報は、複数の種類が設けられていること、
を特徴とする識別シール。
【請求項１４】
請求項１３に記載の識別シールにおいて、
前記細識別情報の周囲全周又は周囲一部に、前記貼付シール周縁切込みを跨ぐように配置されたマークガイドを備えること、
を特徴とする識別シール。
【請求項１５】
請求項１０から請求項１４のいずれかに記載の識別シールにおいて、
前記周辺シール部及び前記貼付シール部にそれぞれ設けられた管理情報を備えること、
を特徴とする識別シール。
【請求項１６】
請求項１０から請求項１５のいずれかに記載の識別シールにおいて、
前記識別シールは、配送用シールであり、
前記貼付シール部は、配送物である被着体に再貼付され、
前記周辺シール部は、配送元の控えであること、
を特徴とする識別シール。
【請求項１７】
請求項１０から請求項１４のいずれかに記載の識別シールにおいて、
前記貼付シール部、前記周辺シール部にそれぞれ設けられた管理情報を備え、
前記識別シールは、配送用シールであり、
前記貼付シール部は、配送物である被着体に再貼付され、
前記周辺シール部の前記管理情報が設けられた部分は、
分離線により前記周辺シール部から分離可能であり、
発送元の控え片に再貼付可能であること、
を特徴とする識別シール。
【請求項１８】
請求項１０から請求項１５のいずれかに記載の識別シールにおいて、
前記識別シールから分離可能に設けられた分離片を備えること、
を特徴とする識別シール。
【請求項１９】
請求項１８に記載の識別シールにおいて、
前記貼付シール部、前記周辺シール部、前記分離片にそれぞれ設けられた管理情報を備えること、
を特徴とする識別シール。
【請求項２０】
請求項１８又は請求項１９に記載の識別シールにおいて、
前記識別シールは、配送用シールであり、
前記貼付シール部は、配送物である被着体に再貼付され、
前記周辺シール部、前記分離片は、配送元の控えであること、
を特徴とする識別シール。
【請求項２１】
請求項１０から請求項２０のいずれかに記載の識別シールの使用方法であって、
前記貼付シール部を、前記識別表示片が積層した状態で前記周辺シール部から分離して剥離する工程と、
前記貼付シール部を、前記折り予定部で折って前記識別情報が上面側から視認できる状態にするか、前記折り予定部で折らずに前記識別情報が上面側から視認できない状態を維持するか、を選択する工程と、
剥離した前記貼付シール部を、被着体に再貼付する工程とを備えること、
を特徴とする識別シールの使用方法。
【請求項２２】
請求項１８から請求項２０のいずれかに記載の識別シールの使用方法であって、
前記分離片を分離する工程と、
前記貼付シール部を、前記識別表示片が積層した状態で前記周辺シール部から分離して剥離する工程と、
前記貼付シール部を、前記折り予定部で折って前記識別情報が上面側から視認できる状態にするか、前記折り予定部で折らずに前記識別情報が上面側から視認できない状態を維持するか、を選択する工程と、
剥離した前記貼付シール部を、被着体に再貼付する工程とを備えること、
を特徴とする識別シールの使用方法。
【発明の詳細な説明】
【技術分野】
【０００１】
本発明は、配送用シール、配送用シールの使用方法、識別シール、識別シールの使用方法に関するものである。
【背景技術】
【０００２】
近年、被着体である冊子状の印刷物その他の軽量物を対象とする「メール便」と呼ばれる宅配サービスが多く利用されている。
この「メール便」は、配送業者が送り主から配送物を預かり、集荷した配送物を配達地域別に仕分けして発送し、受取人の郵便受け等に配送物を投函して配送を完了するもので、配送物が投函可能な大きさのものに制限されている。
このサービスでは、従来から実施されている宅配便と異なり、配送物を受取人に渡す際に受領印や、サインを貰う、いわゆる判取りは行わない。
【０００３】
通常の宅配システムでは、伝票に記載された番号で配送物の配送状況を管理しているが、「メール便」でも、管理番号のみが表示されたラベルを配送伝票とともに配送物に貼付し、配送状況の管理に使用している。
そこで、配送物に届け先（受取人）の住所のみを記載し、併せて機械読取り用のコードだけが印刷されたラベルを貼付する配送システムが提供されている。
このシステムにおいて、受取人の確認は前述の機械読取り用のコードを携帯端末で読取ることによって、コードに紐つけされた受取人名を携帯端末の表示部に表示させて確認するというものである（例えば、特許文献１参照）。
【先行技術文献】
【特許文献】
【０００４】
【特許文献１】特開２００１−２７２９１４号公報
【発明の概要】
【発明が解決しようとする課題】
【０００５】
また、近年では、通常条件で送付される通常メール便のほかに、速達扱いの速達メール便等、複数の種別が出現している。
そこで本発明は、１つのシールであっても複数の種別に対応して使用することができる配送用シール、配送用シールの使用方法、識別シール、識別シールの使用方法を提供することを目的とするものである。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
・第１の発明は、取扱店控とお客様控がお客様控切り離し予定部で連接され、速達、通常何れかの取扱種別を選択して使用することが可能な配送用シールであって、前記配送用シールは、剥離基材と剥離基材の剥離処理面に粘着剤層を介して貼り合わされた紙基材とからなり、前記取扱店控には、長方形状の配送物貼付シール部が紙基材と粘着剤層を貫通する紙基材切込みによって形成され、前記紙基材の表出面には前記紙基材切込みを跨ぐように配送情報が印刷され、前記配送物貼付シール部の裏側の剥離基材には剥離基材を貫通する剥離基材切込みによって取扱種別を表示する取扱種別表示部が形成され、前記取扱種別表示部には、取扱種別表示部の短辺に平行な折り畳み部が形成され、前記取扱種別表示部は、取扱種別表示部を前記剥離処理面から一部引き剥がし、剥離処理面が外側になるように前記折り畳み部で折り畳んだときに、前記配送物貼付シール部の外側に前記取扱種別表示部がはみ出して、前記紙基材の表出面側から取扱種別表示が識別可能に形成されていることを特徴とする配送用シールである。
・第２の発明は、第１の発明の配送用シールにおいて、剥離基材切込みによって形成される取扱種別表示部の形状は、長方形、台形、半円形、楕円形、又はこれらの組合せであることを特徴とする配送用シールである。
・第３の発明は、第１または２の発明の配送用シールにおいて、配送情報表示文字を囲むマークガイドが紙基材切込みを跨ぐように印刷されていることを特徴とする配送用シールである。
・第４の発明は、第１〜３何れかの発明の配送用シールの使用方法であって、速達、通常何れかの取扱種別を選択し、選択した取扱種別に該当する配送情報を囲むように、または、マークガイドに沿ってマークを記載し、配送物貼付シール部を紙基材切込みに沿って剥離処理面から剥ぎ取り、選択した取扱種別が紙基材表出面に表示されていない場合は、取扱種別表示部の折り畳み部で取扱種別表示部を折り畳んで取扱種別表示を配送物貼付シール部の外側に表出させ、配送物貼付シール部を粘着剤面で配送物に貼付し、取扱店控とお客様控をお客様控切り離し予定部で切り離し、お客様控を客に渡し、取扱店控を店に残すことを特徴とする配送用シールの使用方法である。
【０００８】
・第５の発明は、剥離基材の剥離処理層上に粘着剤層を介して紙基材が貼り合わされた粘着紙の、紙基材の表出面に表示された取扱種別表示及び配送情報を選択することによって通常、速達何れにも使用することが可能な配送用シールであって、前記紙基材には配送物に貼付される矩形状の貼付シールが紙基材を貫通する貼付シール周縁切込みによって形成され、紙基材の表出面には貼付シール周縁切込みを跨ぐように配送情報が印刷され、貼付シールの裏側の剥離基材には取扱種別表示片が剥離基材と剥離処理層を貫通する取扱種別表示片切込みによって形成され、取扱種別表示片には貼付シールの上辺に平行で取扱種別表示片を横断する折り畳み予定部が形成され、取扱種別表示片の剥離基材表出面には通常、速達何れかの取扱種別が表示され、紙基材による貼付シールを貼付シール周縁切込みに沿って前記剥離処理層から引き剥がし、前記取扱種別表示片を剥離処理層が外側になるように前記折り畳み予定部で折り畳んだときに前記取扱種別表示片の一部が貼付シールの外側にはみ出し、前記取扱種別表示が紙基材表出面側から識別可能に表示されることを特徴とする配送用シールである。
・第６の発明は、第５の発明の配送用シールにおいて、貼付シールの紙基材表出面には機械読み取り可能な管理コードが印刷され、貼付シールの外側の所定部表出面には前記管理コードに紐付けされ識別可能に表示された問い合わせ情報が印刷されていることを特徴とする配送用シールである。
・第７の発明は、第５または６の発明の配送用シールにおいて、配送情報を囲むマークガイドが貼付シール周縁切込みを跨ぐように印刷されていることを特徴とする配送用シールである。
・第８の発明は、第５〜７何れかの発明の配送用シールの使用方法であって、通常、速達何れかの取扱種別を選択し、選択した取扱種別に該当する配送情報を囲むように、または、マークガイドに沿ってマークを付し、貼付シールを貼付シール周縁切込みに沿って剥離処理層から引き剥がし、選択した取扱種別が貼付シールの紙基材表出面に表示されていない場合は、取扱種別表示片を取扱種別表示片切込みに沿って引き剥がし、剥離処理層が外側になるように折り畳み予定部で折り畳んで取扱種別表示を貼付シールの外側に表出させ、貼付シールを粘着剤面で配送物に貼付し、貼付シールが剥がされた配送用シールを客控として客に渡すことを特徴とする配送用シールの使用方法である。
・第９の発明は、第８の発明の配送用シールの使用方法において、さらに、客から配送物の配送状況を問われたときに、客が提示した問い合わせ情報によって管理コードを検索し、配送担当が配送物を投函する直前に貼付シールの管理コードを携帯端末によって読み取り、登録した管理コードが存在すれば問い合わせがあった配送物は配送済みとすることを特徴とする配送用シールの使用方法である。
【０００９】
・第１０の発明は、剥離基材（２，２０２）と、前記剥離基材上に再貼付可能な粘着剤により積層されたシール層（３，３０３）とを備える識別シールであって、周辺シール部（１０，２１０）と、前記シール層を貫通する貼付シール周縁切込み（１１，２１１）によって前記周辺シール部から分断された貼付シール部（２０，２２０）とを備え、前記貼付シール部は、前記剥離基材により形成された部材であり、前記剥離基材を貫通する識別表示片切込み（４０ａ，２４０ａ）によってその周囲の前記剥離基材から分断され、折り予定部（４１，２４１）が形成され、下面側に識別情報（４２，２４２）を有する識別表示片（４０，２４０）を備え、前記貼付シール部を前記識別表示片が積層された状態で前記周辺シール部から分離して剥離し、前記識別情報が上面側になるように前記識別表示片を前記折り予定部で折ることにより、前記識別表示片の一部が前記貼付シール部の外形からはみ出し、前記識別情報が上面側から視認可能であること、を特徴とする識別シールである。
・第１１の発明は、第１０の発明の識別シールにおいて、前記貼付シール部（２０，２２０）を、前記折り予定部（４１，２４１）で折って前記識別情報（４２，２４２）が上面側から視認できるように使用する状態と、前記折り予定部で折らずに前記識別情報が上面側から視認できないように使用する状態とのうち、実使用時の利用頻度の多い方を前記識別情報が視認できないように使用する状態に設定されていること、を特徴とする識別シールである。
・第１２の発明は、第１０又は第１１の発明の識別シールにおいて、前記周辺シール部（１０，２１０）及び前記貼付シール部（２０，２２０）に設けられ、前記貼付シール周縁切込み（１１，２１１）を跨ぐように配置された細識別情報（４３，５３，２４３，２５３）を備えること、を特徴とする識別シールである。
・第１３の発明は、第１２の発明の識別シールにおいて、前記細識別情報（４３，５３，２４３，２５３）は、複数の種類が設けられていること、を特徴とする識別シールである。
・第１４の発明は、第１３の発明の識別シールにおいて、前記細識別情報（４３，５３，２４３，２５３）の周囲全周又は周囲一部に、前記貼付シール周縁切込み（１１，２１１）を跨ぐように配置されたマークガイド（４４，５４，２４４，２５４）を備えること、を特徴とする識別シールである。
・第１５の発明は、第１０から第１４のいずれかの発明の識別シールにおいて、前記周辺シール部（１０，２１０）及び前記貼付シール部（２０，２２０）にそれぞれ設けられた管理情報（６２，６３，２６２，２６３）を備えること、を特徴とする識別シールである。
・第１６の発明は、第１０から第１５のいずれかの発明の識別シールにおいて、前記識別シールは、配送用シール（１，２０１）であり、前記貼付シール部（２０，２２０）は、配送物である被着体（７０，２７０）に再貼付され、前記周辺シール部（１０，２１０）は、配送元の控えであること、を特徴とする識別シールである。
・第１７の発明は、第１０から第１４のいずれかの発明の識別シールにおいて、前記貼付シール部（２２０）、前記周辺シール部（２１０）にそれぞれ設けられた管理情報（２６２，２６３）を備え、前記識別シールは、配送用シール（２０１）であり、前記貼付シール部（２２０）は、配送物である被着体（２７０）に再貼付され、前記周辺シール部の前記管理情報（２６２）が設けられた部分（２６２ａ）は、分離線（２６２ｂ）により前記周辺シール部から分離可能であり、発送元の控え片に再貼付可能であること、を特徴とする識別シールである。
・第１８の発明は、第１０から第１５のいずれかの発明の識別シールにおいて、前記識別シール（１）から分離可能に設けられた分離片（５）を備えること、を特徴とする識別シールである。
・第１９の発明は、第１８の発明の識別シールにおいて、前記貼付シール部（２０）、前記周辺シール部（１０）、前記分離片（５）にそれぞれ設けられた管理情報（６１，６２，６３）を備えること、を特徴とする識別シールである。
・第２０の発明は、第１８又は第１９の発明の識別シールにおいて、前記識別シールは、配送用シール（１）であり、前記貼付シール部（２０）は、配送物である被着体（７０）に再貼付され、前記周辺シール部（１０）、前記分離片（５）は、配送元の控えであること、を特徴とする識別シールである。
【００１０】
・第２１の発明は、第１０から第２０のいずれかの発明の識別シールの使用方法であって、前記貼付シール部（２０，２２０）を、前記識別表示片（４０，２４０）が積層した状態で前記周辺シール部（１０）から分離して剥離する工程と、前記貼付シール部を、前記折り予定部（４１，２４１）で折って前記識別情報（４２，２４２）が上面側から視認できる状態にするか、前記折り予定部で折らずに前記識別情報が上面側から視認できない状態を維持するか、を選択する工程と、剥離した前記貼付シール部を、被着体（７０，２７０）に再貼付する工程とを備えること、を特徴とする識別シールの使用方法である。
【００１１】
・第２２の発明は、第１８から第２０のいずれかの発明の識別シールの使用方法であって、前記分離片（５）を分離する工程と、前記貼付シール部（２０）を、前記識別表示片（４０）が積層した状態で前記周辺シール部（１０）から分離して剥離する工程と、前記貼付シール部（２０）を、前記折り予定部（４１）で折って前記識別情報（４２）が上面側から視認できる状態にするか、前記折り予定部で折らずに前記識別情報が上面側から視認できない状態を維持するか、を選択する工程と、剥離した前記貼付シール部（２０）を、被着体（７０）に再貼付する工程とを備えること、を特徴とする識別シールの使用方法である。
【発明の効果】
【００１２】
本発明によれば、１つのシールであっても、複数の種別に対応して使用することができる配送用シール及びその使用方法を提供できる。
また、本発明は、被着体の識別に好適な識別シール、識別方法を提供できる。
【図面の簡単な説明】
【００１３】
【図１】第１実施形態の配送用シールの紙基材側の一実施形態について説明するための図である。
【図２】第１実施形態の配送用シールの剥離基材側の一実施形態について説明するための図である。
【図３】図１の配送用シールのＡ−Ａ線断面について説明するための図である。
【図４】第１実施形態の配送用シールの使用方法について説明するための図である。
【図５】第１実施形態の配送物に速達メール便扱いの配送物貼付シール部が貼付されたメール便の一例と、その使用方法について説明するための図である。
【図６】第２実施形態の配送用シールの表面の一例について説明するための図である。
【図７】第２実施形態の配送用シールの裏面の一例について説明するための図である。
【図８】第２実施形態の配送用シールのＡ−Ａ線断面について説明するための図である。
【図９】第２実施形態の配送用シールの使用方法について説明するための図である。
【図１０】第２実施形態の配送物に速達メール便扱いの貼付シールが貼付されたメール便の一例と、その使用方法について説明するための図である。
【発明を実施するための形態】
【００１４】
以下、図面等を参照して、本発明の実施形態について説明する。
（第１実施形態）
図１及び図２を参照して、本発明の配送用シールの第１実施形態について説明する。
図１、図２は、第１実施形態の配送用シールの一実施形態について説明するための図である。
図１は、上面図（紙基材側から見た図）、図２は、下面図（剥離基材側から見た図）である。
図３は、図１の配送用シールの層構成について説明するための断面図である。
図３ａは、各部材が接着した状態であり、図３ｂは、配送物貼付シール部２０を剥離した状態である。
図１に示すように、本実施形態の配送用シール１（識別シール）は、取扱店控１０（周辺シール部）とお客様控５（分離片）がお客様控切り離し予定部６（分離線）で連接され、速達、通常何れかの取扱種別を選択して使用することが可能な配送用シールである。
配送用シール１は、図３に示すように、剥離基材２の剥離処理面２ａに、紙基材３ａ及び粘着剤層３ｂからなるシール層３が積層された積層体である。粘着剤層３ｂの粘着材は、再貼付可能な種類である。
【００１５】
配送用シール１は、客控５（分離片）、取扱店控１０（周辺シール部）、配送物貼付シール部２０を備える。
客控５、取扱店控１０は、切り離し予定部６で連接されている。
取扱店控１０、配送物貼付シール部２０は、シール層３の全ての層を貫通する長方形状の閉じた紙基材切込み１１（貼付シール周縁切込み）によって分断されている。配送物貼付シール部２０は、取扱店控１０から分離して、剥離基材２から剥離できる（図３ｂ参照）。
また、紙基材３ａの表出面には、紙基材切込み１１を跨ぐように配送情報４３，５３が印刷されている。
【００１６】
また、図２、図３に示すように、第１実施形態の配送物貼付シール部２０の裏側（下面）の剥離基材２には剥離基材２を貫通する剥離基材切込み４０ａによって取扱種別を表示する取扱種別表示部４０が形成され、取扱種別表示部４０には、取扱種別表示部４０の短辺に平行な折り畳み部４１が形成されている。取扱種別表示部４０には、取扱種別を示す、取扱種別表示４２が表示されている（図２の例では、「速達」の文字が上下逆さまに印刷されている）。
前述の取扱種別表示部４０の形状は、図では、長方形の隣り合う角が丸くなっているが、取扱種別表示部４０の形状は、これに拘るものではなく、長方形、台形、半円形、楕円形、又はこれらの組合せでもよい。
【００１７】
また、取扱種別表示４２部分から剥離基材２を剥離処理面２ａから引き剥がし、剥離処理面が外側になるように折り畳み部４１で折り畳んだときに、図５に示すように配送物貼付シール部２０の上部外側に取扱種別表示部４０がはみ出して、紙基材３ａの表出面側から取扱種別表示４２の文字が識別可能に形成されている。
【００１８】
図１、図２に示すように、本実施形態の例では配送物貼付シール部２０の紙基材３ａの表出面に取扱種別表示４２が文字で印刷されていない。
配送物を「速達」扱いとする場合だけ前述の取扱種別表示部４０の折り畳み部４１で折り畳んで配送物貼付シール部２０の外側に表出させ、配送物を「通常」扱いとする場合は、取扱種別表示部４０はそのままの状態で配送物に貼付する。
なお、本実施形態とは異なり取扱種別表示部４０に「通常」と印刷されている場合には、配送物を「通常」扱いとする場合だけ取扱種別表示部４０の折り畳み部４１で折り畳み、配送物貼付シール部２０の外側に表出させ、配送物に貼付する。
【００１９】
また、図１に示すように、配送物貼付シール部２０を形成している紙基材切込み１１を跨ぐように「Ａ４  １ｃｍ  ８０」や、「Ａ４  ２ｃｍ  １００」などの配送情報４３，５３及び、配送情報４３，５３の表示文字を囲むマークガイド４４，５４（点線で表示している横に長い円）が紙基材切込み１１を跨ぐように印刷されている。
配送情報４３，５３の表示文字を囲むマークガイド４４，５４は表示されている方が判り易いが、必ずしも必要ではない。
【００２０】
図２で説明したように、本実施形態では、配送物貼付シール部２０の剥離基材２の表出面に「速達」の取扱種別表示４２が識別可能な「文字」で印刷された例で説明したが、取扱種別表示４２はこの形態に拘るものではなく、例えば、印刷の色、マーク、図柄などで表示することもできる。
【００２１】
配送用シール１は、前述のように剥離基材２と紙基材３ａが粘着剤層３ｂを介して貼り合わされていて、お客様控切り離し予定部６は切り離し易いように、例えば、上述の紙基材３ａから剥離基材２までを貫通するミシン目状の切込みによって形成されている。
お客様控切り離し予定部６はミシン目状の切込みではなく、筋押しや、単なる印刷による表示だけでもよい。
【００２２】
すなわち、配送用シール１の構成は、以下の通りである。
剥離基材２及びシール層３は、紙基材切込み１１によって、取扱店控１０と、配送物貼付シール部２０とに分断されている。
図２に示すように、紙基材切込み１１の断面形状は、剥離基材２の上部まで達している。これは、紙基材切込み１１が粘着剤層３ｂを完全に貫通することにより、配送物貼付シール部２０が剥離しやすくなるためである。
【００２３】
配送物貼付シール部２０は、主シール部３０、取扱種別表示部４０（識別表示片）を備える。
図３に示すように、主シール部３０は、シール層３によって形成される。
【００２４】
図２、図３に示すように、取扱種別表示部４０は、主シール部３０を形成するシール層３の下側の剥離基材２であって、剥離基材切込み４０ａ（識別表示片切込み）で分断された部分により形成されている。
図２に示すように、剥離基材切込み４０ａの平面形状は、縦方向に長い矩形状であり、縦方向下側が半円状になっている。剥離基材切込み４０ａは、取扱種別表示部４０の全周に設けられており、取扱種別表示部４０をその周囲の剥離基材２から分断している。
図３に示すように、剥離基材切込み４０ａの断面形状は、下面から剥離基材２を貫通して、主シール部３０にまで達している。これは、取扱種別表示部４０を折り曲げる場合に（折り曲げる工程は後述する）、取扱種別表示部４０が剥離しやすくなるためである。
【００２５】
図２、図３に示すように、取扱種別表示部４０は、折り畳み部４１（折り予定部）、取扱種別表示４２（識別情報）を備える。
折り畳み部４１は、取扱種別表示部４０を折り曲げるための予定線である。折り畳み部４１は、例えば、ミシン目、筋押しによって作製しても、単なる印刷によって作製してもよい。折り畳み部４１は、左右方向に平行な線である。
【００２６】
図２に示すように、取扱種別表示４２は、「速達」の文字が、視認可能に印刷されたものである。つまり、取扱種別表示４２は、配送物の取り扱い種別を識別する情報である。取扱種別表示４２は、剥離基材２の下面に設けられている。取扱種別表示４２は、取扱種別表示部４０の縦方向下側の領域に設けられている。取扱種別表示４２は、「速達」の文字が、正位置の状態から１８０°回転して配置されている。これは、取扱種別表示部４０を折り畳み部４１で折った状態で、取扱種別表示４２が正位置に配置されるようにするためである（図４ｂ参照）。
【００２７】
折り畳み部４１から取扱種別表示４２までの長さＬ４２は、折り畳み部４１から主シール部上端までの長さＬ１１よりも、若干長く設定されている。
このため、取扱種別表示部４０が取扱種別表示４２側から剥離され、折り畳み部４１で折り、取扱種別表示４２が下面側から上面側に向くように配置した状態では、取扱種別表示４２は、取扱種別表示部４０の外形からはみ出る（図４ｂ参照）。これにより、取扱種別表示４２が上面側から視認可能となり、配送物は、「配達」扱いとされる。
これとは反対に、取扱種別表示部４０を折り畳み部４１で折らずに、取扱種別表示４２が下面側に配置され、主シール部３０に覆われた状態で配送物に貼付されてしまえば、取扱種別表示４２は、上面側から視認できない。この場合には、配送物は、「通常」扱いとされる。
【００２８】
ここで、実施形態では、実使用上、配送物の取扱が、「速達」よりも「通常」が多いこと想定している。「通常」の場合には、取扱種別表示部４０を折り曲げる作業が発生しないため、余分な工数がかからず、作業効率を向上できるからである。
つまり、実施形態では、取扱種別の「速達」及び「通常」のうち、実使用時の利用頻度の多い「通常」の方を、取扱種別表示４２が視認できない使用状態（図４ｃの状態）に設定し、総合での工数を軽減するように設定しているわけである。
【００２９】
図１に示すように、配送情報４３，５３（細識別情報）は、主シール部３０内の右側の領域と、取扱店控１０とに連続するように設けられており、第一の紙基材切込み１１を跨ぐように配置されている。
配送情報４３，５３は、配送物の取扱種別を、さらに詳細に識別するための情報である。つまり、取扱種別表示４２は、配送物の取扱種別を識別し、さらに、配送情報４３，５３は、配送物の大きさ、配送料等を識別できるようになっている。
配送情報４３は、「速達」についてのものであり、「Ａ４  １ｃｍ  １２０」、「Ａ４  ２ｃｍ  １５０」が設けられている。一方、配送情報５３は、「通常」についてのものであり、「Ａ４  １ｃｍ  ８０」、「Ａ４  ２ｃｍ  １００」が設けられている。
【００３０】
マークガイド４４，５４は、配送情報４３，５３の周囲全周に、第一の紙基材切込み１１を跨ぐように配置されている。
なお、マークガイド４４，５４は、配送情報４３，５３の周囲一部に設けてもよい。この場合には、例えば、括弧の記号等を、配送情報４３，５３の左側及び右側に設ければよい。
【００３１】
客控５、取扱店控１０、配送物貼付シール部２０の主シール部３０は、同一の番号（管理情報）が付された、問合せ番号６１、管理コード６２、管理コード６３を備える。
客控５の問合せ番号６１、取扱店控１０の管理コード６２には、番号のみが印刷されている。
主シール部３０には、番号に加えて、その番号を示すバーコードが付されている。バーコードは、取扱店が配送物の荷受のためポスレジスターで読み込んだり、配送担当者が配送管理のため携帯端末で読み込むために利用されたりする。
【００３２】
図１、図３を参照して、配送用シールの管理コードについて説明する。
配送物の配送依頼を受けた取扱店では、依頼主に「通常」、「速達」何れの扱いで配送するか選択してもらい、配送用シール１の取扱店控１０に印刷された配送情報４３，５３を選択し、配送情報４３，５３を囲むように（または、マークガイド４４，５４に沿って）マークを記載する。
取扱店では、配送物貼付シール部２０を取扱店控１０から剥ぎ取って配送物に貼付し、配送用シール１のお客様控切り離し予定部６でお客様控５を切り離し、依頼主に渡す。
【００３３】
配送用シール１の取扱店控１０の配送物貼付シール部２０と取扱店控１０本体部には、管理コード６２，６３が印刷されている。
この管理コード６２，６３は、各配送用シール１固有のコードとなっていて、取扱店控１０本体部には目視で読み取り可能な文字で、配送物貼付シール部２０には光学読取可能なコードで印刷されている。
依頼主は、配送物の配送状況を確認したいときに、お客様控５に印刷された問合せ番号６１を取扱店側に伝え、配送物の所在を確認する。
そのために、問合せ番号６１は、取扱店控１０、配送物貼付シール部２０に印刷された管理コード６２，６３と同一になっている。
【００３４】
（使用方法）
図１、図４、図５を参照して、第１実施形態の配送用シールを使用した速達メール便の使用方法について説明する。
配送物の配送依頼を受けた取扱店では、依頼主に通常、速達何れの扱いで配送するかを、選択してもらう。
ここでは、配送物７０を「速達」で送付し、かつ、配送物７０が「Ａ４  １ｃｍ  １２０」である例を説明する。
メール便の取扱店の担当は、お客様控切り離し予定部６で客控５を切り離して分離し、依頼主に渡す。
【００３５】
取扱店の担当は、依頼主が「速達」扱いを指定したため、図１に示す配送用シール１の配送情報４３の「Ａ４  １ｃｍ  １２０」のマークガイド４４に沿ってマーク４４ａを記載する。
そして、取扱店の担当は、配送物貼付シール部２０を取扱店控１０から剥ぎ取る。
ここで、取扱店の担当は、配送物貼付シール部２０を、折り畳み部４１で折り返して取扱種別表示４２が上面側から視認できる状態にするか、折り畳み部４１で折り返さずに取扱種別表示４２が上面側から視認できない状態を維持するか、を選択する。
この例では、配送物７０は、「速達」扱いであるので、取扱店の担当は、配送物貼付シール部２０を、折る方を選択する。
【００３６】
図４ａ、図４ｂに示すように、取扱店の担当は、取扱店控１０から配送物貼付シール部２０を剥がした後、図２で説明した配送物貼付シール部２０の裏側の取扱種別表示部４０に形成された折り畳み部４１で取扱種別表示部４０を折り畳み、「速達」の取扱種別表示４２が配送物貼付シール部２０の外側に表示される状態にする。
図３、図２を参照して判るように、取扱種別表示部４０が折り畳み部４１で折り畳まれたときに、取扱種別表示部４０の剥離基材２の剥離処理がされていない面の一部が、配送物貼付シール部２０の紙基材３ａの裏側の取扱種別表示部４０の上部に表出した粘着剤層３ｂの粘着面に固定され、図４ｂに示す状態になる。
図４ｂの配送物貼付シール部２０を粘着剤面で配送物７０に貼付する（図５参照）。
【００３７】
これとは反対に、取扱種別が「通常」扱いで配送される配送物には、図４ｃの状態の配送物貼付シール部２０が貼付される。配送情報「Ａ４  １ｃｍ」が表示された部分に、マーク５４ａが記載されている。
【００３８】
図４ａに示すように、マーク４４ａが記載された取扱店控１０は、剥離基材２の剥離処理面２ａが表出した状態で、さらに、剥離基材２は取扱種別表示部４０が剥ぎ取られ、開口部となった状態で取扱店に残される。
図４ａの取扱店控１０の上段の配送情報５３「８０」、「１００」は通常扱の料金を示し、下段の配送情報４３「１２０」、「１５０」は速達扱の料金を示す。
また、図４ｂ、図４ｃの配送物貼付シール部２０の上段の配送情報５３「Ａ４  １ｃｍ」、「Ａ４  ２ｃｍ」は通常扱であることを示し、下段の配送情報４３「Ａ４  １ｃｍ」、「Ａ４  ２ｃｍ」は速達扱であることを示す。
また、Ａ４は配送物の大きさを表し、１ｃｍは配送物の厚さを表わす。
【００３９】
取扱店控１０には、マーク４４ａの右半分が存在するので、取扱店は、マーク４４ａを確認すれば、配送物７０を配達担当者に受け渡した後でも、配送種別が「速達」で配送されたことを確認できる。これにより、取扱店は、配送種別の識別に加えて、その料金「１２０」を識別して確認できる。また、取扱店は、大きさ等についても、未使用の配送用シール１等を参照すれば、識別して確認できる。
取扱店では、ファイル孔１０ａでファイルし、前述のお客の問い合わせに備える。
【００４０】
図５を参照して、配送物に速達メール便扱いの配送物貼付シール部が貼付された状態の一例について説明する。
配送物７０には、配送物の受取人の住所及び氏名、依頼主の住所及び氏名などが記載される。または、配送物の受取人の住所及び氏名、依頼主の住所及び氏名などが記載された配送伝票７１が配送物に貼付される。
図４ｂで説明した配送物貼付シール部２０は、配送物の受取人の住所及び氏名、依頼主の住所及び氏名などに掛からないように配送物７０に貼付される。
【００４１】
配送物取扱店の担当は、主シール部３０には管理コード６３を、配送物取扱店のポスレジスター等に入力する。これにより、管理コード６３を示す番号、つまり配送シール１の識別番号と、配送物取扱店を識別する店番号等とが関連付けられることになる。
配送物７０は、取扱店から配達担当者が受け取ると、取扱種別表示部４０の表示、及び配送情報４３のマーク４４ａが「速達」扱いとされているため、速達便集積場に送られる。
【００４２】
配送担当は、配送物７０を配送伝票７１に記載された受取人に届ける。
メール便システムでは受取人から受領印を貰わないため、受取人のポストに投函する前に、配送物に貼付された配送物貼付シール部２０の光学読取可能な管理コード６３を専用端末で読取り、配達が完了したことを専用端末に記憶させる。
光学読取用管理コード６３はＯＣＲコードでも、二次元コードでも、バーコードでもよい。
【００４３】
専用端末に記憶させた管理コード６３は、お客からの問い合わせに使用されるため、問合せ先センターや取扱店に送信される。
なお、２種類の配送種別のいずれが選択されても、配送物貼付シール部２０の主シール部３０は、配送物７０に貼付された状態では、同一の管理コード６３が表出する。このため、配送物貼付シール部２０と、取扱店控１０及び客控５とは、同一の番号で関連付けることができ、従来と同様なトレーサビリティ（追跡可能性）等を有する。
【００４４】
また、上記例とは異なり、取扱店控１０の紙片をお客様控えにして、かつ、客控５（分離片）の紙片を取扱店控にしてもよい。これらの紙片は、配送担当者には回収されず、配送元（つまり、取扱店及び依頼主）に残る。このため、これらの紙片を、取扱店及び依頼主のどちらの控えにするかは、使用態様に応じて適宜設定できるからである。
【００４５】
図１、図２を参照して、第１実施形態の配送用シールに使用される材料と、配送用シールの作製方法について説明する。
「剥離処理面２ａが形成された剥離基材２＋粘着剤層３ｂ＋紙基材３ａ」として、市販の粘着紙を使用する。
紙基材３ａの表出面に「取扱店控」、「お客様控」、「配送情報」、「マークガイド」などをオフセットインキによって、剥離基材２の表出面に「速達」などの文字をオフセットインキによって印刷する。
押し切り刃により紙基材３ａ面から紙基材切込み１１を、剥離基材２面から剥離基材切込み４０ａを形成する。
多面付け状態の配送用シールに、プリンタで管理コード６２，６３、問合せ番号６１を印字し、裁断して配送用シール１を作製する。
【００４６】
このように、配送用シール１は、「通常」、「速達」を選択して、配送物７０の識別に利用できる。これにより、「通常」、「速達」用それぞれにシールを用意する必要がなく、シールの在庫管理が容易である。また、「通常」、「速達」用にそれぞれバーコードを発行する必要がないので、バーコードの番号を破棄することがなく、バーコードを有効利用できる。さらに、取扱店の担当は、配送物７０の「通常」、「速達」に応じて配送物貼付シール部２０の剥離態様を選択すればよいので、作業が簡単である。
【００４７】
以上説明したように、本実施形態の配送用シールは、従来宅配などで使用されるメール便で、配送のためのシールを通常メール用と、速達メール用と別々に用意し、使い分けていたものを一つの配送用シールにまとめることができ、取り違えて使用されることもなくなり、また、在庫管理も容易になり、結果として配送のためのコストダウンを計ることができる。
また、本実施形態の配送用シールの使用方法によって、配送物に選択された取扱種別が表示されるために、支払われた料金に応じた配送を好適に行なう事ができる。
【００４８】
（第２実施形態）
次に、本発明の第２実施形態について説明する。
なお、以下の説明及び図面において、前述した第１実施形態と同様の機能を果たす部分には、末尾（下２桁）に同一の符号を付して、重複する説明を適宜省略する。
【００４９】
図６、図８を参照して、本実施形態の配送用シールの表面の一例について説明する。
第２実施形態の配送用シール２０１は、主に以下の点を、第１実施形態から変更した。
・客控２１０として、第１実施形態の取扱店控１０（図１参照）を用いた。このため、客控５（図１参照）を削除して、配送用シール２０１の全体の形状を小型にし、コストダウンした。また、配送用シール２０１では、取扱店控は、設けられていない。
・お客様問合せ情報２６２として、管理コード６２（図１参照）を用いた。また、お客様問合せ情報２６２が印刷された部分である問合せ情報片２６２ａは、分離線２６２ｂにより、分離可能にした。
【００５０】
以下、詳細に説明する。
配送用シール２０１には剥離基材の剥離処理層上に粘着剤層を介して紙基材が貼り合わされた粘着紙、すなわち、紙基材２０３ａ、粘着剤層２０３ｂ、剥離処理層２０２ａ、剥離基材２０２が順次積層された粘着紙が使用され、図６に示す紙基材２０３ａの表出面に表示された取扱種別表示（図示せず）および配送情報２４３，２５３を選択することによって「通常」、「速達」何れにも使用することが可能な配送用シールである。粘着剤層２０３ｂは、再貼付可能な種類である。
【００５１】
前述の紙基材２０３ａには、配送物に貼付される矩形状の貼付シール２２０が紙基材２０３ａを貫通する貼付シール周縁切込み２１１によって形成され、紙基材２０３ａの表出面には貼付シール周縁切込み２１１（図６に示す例では、貼付シール周縁切込み２１１の右側の短辺）を跨ぐように配送情報２４３，２５３が印刷され、また、配送情報２４３，２５３を囲むマークガイド２４４，２５４が前述の貼付シール周縁切込み２１１を跨ぐように印刷されている。
配送情報２４３，２５３およびマークガイド２４４，２５４は、貼付シール周縁切込み２１１を跨いで貼付シール２２０と客控２１０の両方に印刷される。
また、貼付シール２２０の紙基材２０３ａの表出面には機械読み取り可能な管理コード２６３が印刷され、貼付シール２２０の外側の所定部表出面には前述の管理コード２６３に紐付けされ識別可能に表示された問合せ情報２６２が印刷される。
【００５２】
また、貼付シール２２０の裏側の剥離基材２０２には、図７に示すような所定の幅を有し、縦長の取扱種別表示片２４０が剥離基材２０２と剥離処理層２０２ａを貫通する取扱種別表示片切込み２４０ａによって形成され、取扱種別表示片２４０には貼付シール２２０の上辺に平行で取扱種別表示片２４０を横断する折り畳み予定部２４１が形成され、取扱種別表示片２４０の剥離基材２０２の表出面には取扱種別「速達」が表示される。
後述するように、貼付シール２２０を貼付シール周縁切込み２１１に沿って剥離処理層２０２ａの剥離処理面から引き剥がし、取扱種別表示片２４０を剥離処理層２０２ａの剥離処理面が外側になるように折り畳み予定部２４１で折り畳んだときに取扱種別表示片２４０の一部が貼付シール２２０の外側にはみ出し、取扱種別表示片２４０のはみ出した部分に表示された取扱種別表示２４２が貼付シール２２０の表面側から識別可能に表示される。
【００５３】
貼付シール周縁切込み２１１は、紙基材２０３ａを貫通する状態で形成されるが、粘着剤層２０３ｂが極めて薄いために、貼付シール周縁切込み２１１を形成する抜き刃は、粘着剤層２０３ｂを貫通し、一部剥離基材２０２にまで到達している場合が多い。
取扱種別表示片切込み２４０ａは、剥離基材２０２と剥離処理層２０２ａを貫通する状態で形成されるが、貼付シール周縁切込み２１１を形成する場合と同様に、粘着剤層２０３ｂが極めて薄いために、取扱種別表示片切込み２４０ａを形成する抜き刃は、粘着剤層２０３ｂを貫通し、一部紙基材２０３ａにまで到達している場合が多い。
【００５４】
貼付シール２２０は、図６に示すように貼付シール２２０の一方の短辺（図６に示す貼付シール２２０の左側短辺）と配送用シール２０１の一辺（図６に示す配送用シール２０１の左辺）を共有させることもできるし、貼付シール２２０の四辺が配送用シール２０１の何れの辺をも共有しない状態、すなわち、配送用シール２０１の内側に形成することもできる。
【００５５】
図６に示すように、貼付シール２２０には、機械読み取り可能な管理コード２６３がバーコードで印刷され、貼付シール２２０の外側の配送用シール２０１の所定部（貼付シール２２０の真上）には管理コード２６３に紐付けされた問合せ情報２６２が目視可能な状態で印刷されている。問合せ情報２６２は、数字、すなわち「番号」でも、記号入りアルファベット、記号入り数字、仮名入り数字、何れでもよい。
以下、本実施形態の説明では問合せ情報２６２は、数字だけで構成された例で説明する。
問合せ情報２６２は、問合せ情報片２６２ａに印刷されている。
問合せ情報片２６２ａは、切り込み線である分離線２６２ｂによって客控２１０と分離している。このため、問合せ情報片２６２ａは、客控２１０から分離して、剥離基材２０２から剥離できる。
【００５６】
本実施形態では、取扱種別表示は取扱種別表示片２４０の剥離基材２０２の表出面に「速達」、配送用シールの客控２１０に「通常・速達」と、何れも文字によって印刷された例で説明するが、取扱種別表示は、前述の表示方法ではなく印刷色、イラスト、文字＋印刷色＋イラスト、その他の識別可能な手段で表示することもできる（以下の本実施形態の説明では取扱種別表示は文字で表示する例で説明する）。
また、図６に示す客控２１０に印刷された取扱種別「通常・速達」の表示は、マークされたマークガイド２４４，２５４の位置で取扱種別を識別できるために必ずしも表示の必要はない。前述の取扱種別表示「通常・速達」が客控側に印刷されている場合は、客が指定した「通常」、「速達」のいずれかにチェックまたはマークを付して取扱種別を明示することもできる。
【００５７】
次に、配送情報２４３，２５３について説明する。
図６に示す配送情報２４３，２５３が「Ａ４  １ｃｍ  ８０」、「Ａ４  ２ｃｍ  １００」、「Ａ４  １ｃｍ  １２０」、「Ａ４  ２ｃｍ  １５０」と表示されているのは、配送物の大きさがＡ４サイズで、配送物の厚さが１または２ｃｍで、配送料金が８０円〜１５０円であるということを示している。
すなわち、「Ａ４  １ｃｍ  ８０」、「Ａ４  ２ｃｍ  １００」は、配送料金の安い通常扱いの配送情報で、「Ａ４  １ｃｍ  １２０」、「Ａ４  ２ｃｍ  １５０」は速達扱いの配送情報を意味する。
取扱店の担当は、配送依頼人の要求に基づいて、配送情報２４３，２５３を選択し、貼付シール周縁切込み２１１の短辺を跨ぐように、また、マークガイド２４４，２５４に沿ってマークを付ける。
前述のように、配送情報２４３，２５３およびマークガイド２４４，２５４は、貼付シール周縁切込み２１１を跨いで貼付シール２２０と客控２１０の両方に印刷されている。
【００５８】
図９を参照して、配送用シールの使用方法について説明する。
配送物取扱店の担当は、配送依頼人から取扱種別「通常」、「速達」の何れで配送するかを確認し、配送物を取扱種別「通常」で配送指定された場合は、該当する配送情報２５３「Ａ４  １ｃｍ  ８０」を囲むように、または、マークガイド２５４に沿ってマーク２５４ａを付ける。
貼付シール２２０を貼付シール周縁切込み２１１に沿って剥離処理層２０２ａの剥離処理面から引き剥がし、図９ｃに示すような貼付シール２２０を粘着剤面で配送物に貼付する。
【００５９】
一方、配送物を取扱種別「速達」で配送指定された場合は、該当する配送情報２４３「Ａ４  １ｃｍ  １２０」を囲むように、または、マークガイド２４４に沿ってマーク２４４ａを付ける。
【００６０】
なお、信書の取り扱いができない等の事情がある場合には、取扱店の担当（作業者）は、配送物２７０が信書ではないという署名を、依頼者に対して依頼する。依頼者は、了解すると、署名シート（図示しない）に署名する。
署名シートは、複写片になっており、署名の店舗控、署名の客控を備える。複数の配送物２７０を同時に依頼する場合でも、署名シートは、１枚でよい。
そして、貼付シール２２０を貼付シール周縁切込み２１１に沿って剥離処理層２０２ａの剥離処理面から引き剥がす。
【００６１】
次に、図７に示す剥離基材に形成された取扱種別表示片２４０を取扱種別表示片切込み２４０ａに沿って剥離処理層の剥離処理面から引き剥がし、取扱種別表示片２４０の折り畳み予定部２４１で剥離処理層２０２ａの剥離処理面が外側になるように折り畳み、図９ｂに示すように取扱種別表示２４２を貼付シール２２０の外側に表出させる。
貼付シール２２０が引き剥がされた配送用シール２０１には、図９ａに示すように配送用シール２０１の貼付シール２２０が形成されていた部分が剥離処理層２０２ａとなって配送用シール２０１の紙基材表出面に露出し客控２１０となる。
貼付シール２２０が剥離された配送用シール２０１は、客控２１０として使用され、配送を依頼した依頼主に渡される。なお、前述した署名を有する場合には、署名シートの客控（図示せず）も、依頼主に渡される。
【００６２】
なお、複数の配送物２７０を同時に依頼した場合には、複数の客控２１０が依頼主に渡され、客控２１０の管理が煩雑になる可能性がある。この場合には、依頼主は、複数の客控２１０から各問合せ情報片２６２ａを剥離して、紙片等に貼付して、これを控え片として利用できる。前述した署名シートの客控え片がある場合には、各問合せ情報片２６２ａを、この客控え片に貼付してもよい。
これにより、客控２１０を破棄等しても、問合せ情報２６２を確認できる。このため、依頼主は、署名シートの客控等のみを管理すればよいので、管理が容易になる。
【００６３】
図９ａに示す客控２１０には、問合せ情報２６２が印刷されている。また、マーク２４４ａが付された配送情報２４３の位置及び内容によって、この客控２１０は、「速達」（または、「通常」）で取り扱われた配送物２７０の控えであることが判るようになっている。
客控２１０に印刷された取扱種別表示「通常・速達」の何れかの文字にマークを付して明示してもよい。
【００６４】
図１０を参照して、配送物に速達メール便扱いの貼付シールが貼付されたメール便の一例と、その使用方法について説明する。
図１０は、図９ｂの貼付シール２２０が配送物２７０に貼付された状態を示している。
配送物取扱店の担当は、貼付シール２２０を配送物２７０に貼付すると、主シール部２３０の管理コード２６３を、配送物取扱店のポスレジスター等の読み取り装置で読み取り、番号を入力する。
なお、配送物取扱店は、この入力番号によって、配送物２７０の各情報（配送物２７０の荷受の確認、配送状況等）を確認できる。このため、配送用シール２０１が配送物取扱店の控えを備えない形態でも、配送物取扱店は、配送物２７０の各情報を確認できる。
届け先情報２７１が記載された配送物２７０は、貼付シール２２０の取扱種別表示片２４０に印刷された「速達」の取扱種別表示によって、または、貼付シール２２０の右側短辺に付された半マーク２４４ａの位置によって、この配送物は「速達」で取り扱われた配送物であると判断される。
【００６５】
配送担当は、配送物を届け先のポストに投函する直前に貼付シール２２０の管理コード２６３を携帯端末によって読み取り、無線または有線によって配送物の管理コード２６３を配送済みと登録する。
携帯端末に記憶させた管理番号は、お客からの問合せに使用されるため、問合せ先センターや取扱店に送信される。
【００６６】
配送物取扱店の担当は、図９ａに示す客控２１０を所持する客から配送物の配送状況を問われたときに、問合せ番号「１１２３−４５６７−８９０１」で、問合せ番号に紐付けされた管理コードを検索し、管理コードが存在すれば、問合せがあった配送物は配送済みとすることができる。
【００６７】
図８を参照して、本実施形態の配送用シールに使用される材料と配送用シールの作製方法について説明する。
配送用シールの基材としては、市販の粘着紙「紙基材２０３ａ、粘着剤層２０３ｂ、剥離処理層２０２ａ、剥離基材２０２が順次貼り合わされた積層紙」を使用する。
紙基材の表出面の印刷には、市販のオフセットインキを使用し、図示しないが「問合せ番号」や、「管理コード」はノンインパクトプリンタ（例えば、インクジェットプリンタ）によって印刷する。
紙基材２０３ａは、上質紙、中質紙、コート紙などから適宜選択し、選択した紙基材を使用している粘着紙を使用する。
貼付シール周縁切込み２１１及び取扱種別表示片切込み２４０ａは、シリンダ型、平圧型押し切り刃により、配送用シール２０１の印刷に位置合わせを行いながら形成する。
【００６８】
なお、各問合せ情報片２６２ａを剥離して、署名シートの控え片等に貼付する構成は、第１実施形態に適用してもよい。この場合には、取扱店が、署名シートの取扱店控え片等に貼付することにより、複数の配送物を容易に管理できる。
【００６９】
以上説明したように、本実施形態の配送シールは、従来宅配などで使用されるメール便で、配送のためのシールを通常メール便用と、速達メール便用とを別々に用意し使い分けする必要があったものを、一つの配送用シールにまとめることができ、取り違えて使用されることもなくなる。また、在庫管理も容易になり、結果としてコストダウンを計ることができる。
また、本実施形態の配送シールの配送用シールの使用方法によって、配送物には選択された取扱種別表示、または、それに該当する配送情報にマークが付されるために、配達員は配送依頼人に間違って料金を請求することもない。
また、問い合わせ情報と管理コードが紐付けされ、配送物配送直後に管理コードを登録することによって配送物の配送状況を掌握することができる。
【００７０】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００７１】
（変形形態）
（１）本実施形態において、通常と、速達とを識別する例を示したが、これに限定されない。例えば、通常と、チルド等とを識別等してもよい。
【００７２】
（２）実施形態において、識別シールは、配送物の種別の識別のために用いる例を示したが、これに限定されない。識別シールは、他の被着体の識別に用いてもよい。例えば、病院等において、複数の看者（被着体）の容態を識別したり、工場等において、複数の製品（被着体）の品質を識別するために用いてもよい。
【符号の説明】
【００７３】
（１）
１  配送用シール
２  剥離基材
３  シール層
３ａ  紙基材
３ｂ  粘着剤層
５  客控
１０  取扱店控
１１  紙基材切込み
２０  配送物貼付シール部
３０  主シール部
４０  取扱種別表示部
４０ａ  剥離基材切込み
４１  折り畳み部
４２  取扱種別表示
４３，５３  配送情報
４４，５４  マークガイド
６１  問合せ番号
６２  管理コード
６３  管理コード
７０  配送物
（２）
２０１  配送用シール
２０２  剥離基材
２０２ａ  剥離処理層
２０３ａ  紙基材
２０３ｂ  粘着剤層
２１０  客控
２１１  貼付シール周縁切込み
２２０  貼付シール
２３０  主シール部
２４０  取扱種別表示片
２４０ａ  取扱種別表示片切込み
２４１  折り畳み予定部
２４２  取扱種別表示
２４３，２５３  配送情報
２４４，２５４  マークガイド
２６２  問合せ情報
２６２ａ  情報片
２６２ｂ  分離線
２６３  管理コード
２７０  配送物
【図１】
2013224013.tif 000003
【図２】
2013224013.tif 000004
【図３】
2013224013.tif 000005
【図４】
2013224013.tif 000006
【図５】
2013224013.tif 000007
【図６】
2013224013.tif 000008
【図７】
2013224013.tif 000009
【図８】
2013224013.tif 000010
【図９】
2013224013.tif 000011
【図１０】
2013224013.tif 000012